(57)【要約】【課題】  呼出先の管理人が留守になった場合でも、速やかに他の管理人と通話することを可能とし、その呼出履歴を不在にしていた管理人が見ることでき、その後のスムーズな対応を可能とする。【解決手段】  棟制御機４は、スリープ状態の棟管理室親機３を認識し、その棟管理室親機３への呼び出しが成された場合は呼び出しを他の棟管理室親機３又は集中管理室親機６へ転送する転送機能を有し、棟管理室親機３がスリープ状態の時にその棟管理室親機３を呼び出した呼出元情報を記憶する。スリープ状態が解除された棟管理室親機３は、棟制御機４に記憶した呼出元情報を受信し、モニタ１１にその呼出元情報を表示する。【選択図】  図４
2006238201.tif 000002
【特許請求の範囲】
【請求項１】
来訪者が居住者又は管理人を呼び出して通話を行うために棟毎に設置される棟集合玄関機と、居住者が来訪者又は管理人と通話するための居室親機と、管理人が各棟の居住者と通話するために各棟毎に設置される棟管理室親機と、棟毎に設置されて前記棟集合玄関機、前記居室親機、前記棟管理室親機を制御する棟制御機と、来訪者が全ての棟の居住者又は管理人を呼び出して通話を行うための集中集合玄関機と、管理人が全ての棟の居住者と通話するための集中管理室親機と、各棟制御機、集中集合玄関機及び集中管理室親機を制御する集中制御機とを備えた集合住宅インターホンシステムにおいて、
前記棟管理室親機は、インターホン機能が停止するスリープ状態となるスリープ設定機能を有し、
前記棟制御機は、対応する棟管理室親機がスリープ状態であることを認識し、前記スリープ状態の棟管理室親機への呼び出しが成された場合に、呼び出しを、対応する棟管理室親機を呼び出すことなく他の棟管理室親機又は前記集中管理室親機へ転送する転送機能を有することを特徴とする集合住宅インターホンシステム。
【請求項２】
前記棟制御機は、前記棟管理室親機がスリープ状態の時にその棟管理室親機を呼び出した呼出元情報を記憶し、
前記棟管理室親機は、スリープ状態が解除されたときに前記棟制御機に記憶した呼出元情報を受信して表示する呼出情報受信／表示機能を有することを特徴とする請求項１記載の集合住宅インターホンシステム。
【請求項３】
前記棟制御機は、転送されて応答した他の棟管理室親機又は前記集中管理室親機の情報を前記呼出元情報に付加した呼出情報を記憶することを特徴とする請求項２記載の集合住宅インターホンシステム。
【請求項４】
前記棟制御機は、転送されて応答した他の棟管理室親機又は前記集中管理室親機の操作により、その呼び出しに対して対応済みか否かの情報を前記呼出情報に付加して記憶することを特徴とする請求項３記載の集合住宅インターホンシステム。
【請求項５】
前記棟管理室親機又は前記集中管理室親機は、他の棟管理室親機のスリープ設定情報を前記棟制御機又は前記集中制御機から受信して表示することを特徴とする請求項４記載の集合住宅インターホンシステム。
【請求項６】
来訪者が居住者又は管理人を呼び出して通話を行うために棟毎に設置される棟集合玄関機と、居住者が来訪者又は管理人と通話するための居室親機と、管理人が各棟の居住者と通話するために各棟毎に設置される棟管理室親機と、棟毎に設置されて前記棟集合玄関機、前記居室親機、前記棟管理室親機を制御する棟制御機と、来訪者が全ての棟の居住者又は管理人を呼び出して通話を行うための集中集合玄関機と、管理人が全ての棟の居住者と通話するための複数台の集中管理室親機と、各棟制御機、集中集合玄関機及び集中管理室親機を制御する集中制御機とを備えた集合住宅インターホンシステムにおいて、
前記棟管理室親機及び特定の１台を除く前記集中管理室親機は、インターホン機能が停止するスリープ状態となるスリープ設定機能を有し、
前記棟制御機は対応する棟管理室親機又は集中管理室親機がスリープ状態であることを認識すると共に、前記集中制御機は前記集中管理室親機がスリープ状態であることを認識し、
前記棟制御機が前記棟集合玄関機又は前記居室親機からスリープ状態の棟管理室親機への呼び出しを受信したとき、前記集中管理室親機へ前記呼び出しを転送し、
前記集中制御機は、前記集中管理室親機のうちスリープ設定されていない少なくとも一つの前記集中管理室親機へ前記呼び出しを転送し、前記スリープ機能を有する集中管理室親機の全てがスリープ状態である場合は前記呼び出しを前記特定の１台である集中管理室親機に転送することを特徴とする集合住宅インターホンシステム。
【請求項７】
前記棟制御機は、スリープ設定されていない前記棟管理室親機が所定時間応答しない場合には、スリープ状態とする制御を行うことを特徴とする請求項１乃至請求項６何れか１項記載の集合住宅インターホンシステム。
【請求項８】
前記集中制御機は、スリープ設定されていない前記集中管理室親機が所定時間応答しない場合には、スリープ状態とする制御を行うことを特徴とする請求項６記載の集合住宅インターホンシステム。
【発明の詳細な説明】
【技術分野】
【０００１】
本発明は、集合住宅インターホンシステムに関し、特に、棟の管理人が不在の場合に棟管理室親機への呼び出しを他の棟管理室親機または集中管理室親機に転送することができる集合住宅インターホンシステムに関する。
【背景技術】
【０００２】
複数の棟から成る集合住宅に設置される集合住宅インターホンシステムは、来訪者が居住者を呼び出して通話をおこなうための棟集合玄関機が各棟に設置され、各居室に居住者が来訪者または管理人と通話するための居室親機が配置され、管理人が来訪者または居住者と通話するための棟管理室親機が各棟の管理人室に設置されている。そして、これら棟集合玄関機、居室親機、棟管理室親機を制御する棟制御機を介在して接続され、更に全ての居室親機を対象として呼び出して通話するための集中管理室親機が設けられている（例えば、特許文献１参照）。
このような、システムでは、棟管理人室が呼び出しを受けた場合に不在であったら、その後に他の棟管理室親機へ呼出報知が転送され、更に集中管理室親機にも呼出報知が成され、管理人が居る所の管理室親機にて対応していた。
また、管理人が管理人室から出ていても管理人を常時呼出可能とするために、特許文献２に開示されているように、無線式の移動式管理室親機を備えたシステムが提案されている。
【０００３】
【特許文献１】特開平５−２０７１６７号公報
【特許文献２】特開平９−２３３２０２号公報
【発明の開示】
【発明が解決しようとする課題】
【０００４】
しかし、従来例の集合住宅インターホンシステムにおいては、棟の管理人が居ないにもかかわらず呼び出しが成され、不要の呼出報知がされてしまっていた。また、呼出転送がその後おこなわれる場合であっても、転送されるまでに呼出先の管理室親機が応答しない一定時間を監視する必要があるので時間がかかり、居住者は長時間呼出状態を保持していなければならなかった。
また、無線式の移動式管理室親機を備えたシステムにあっては、あくまでも管理人が見回りや掃除等で外へ出た時の為のシステムであって、管理人が勤務時間の終了により留守になる時にも対応できるものではなかった。
【０００５】
そこで、本発明はこのような問題点に鑑み、呼出先の管理人が留守になった場合でも、速やかに他の管理人と通話することができること。また、その呼出履歴を不在にしていた管理人が見ることでき、その後の応答結果を確認することができる集合住宅インターホンシステムを提供することを目的とする。
【課題を解決するための手段】
【０００６】
上記課題を解決する為に、請求項１に記載の発明は、来訪者が居住者又は管理人を呼び出して通話を行うために棟毎に設置される棟集合玄関機と、居住者が来訪者又は管理人と通話するための居室親機と、管理人が各棟の居住者と通話するために各棟毎に設置される棟管理室親機と、棟毎に設置されて棟集合玄関機、居室親機、棟管理室親機を制御する棟制御機と、来訪者が全ての棟の居住者又は管理人を呼び出して通話を行うための集中集合玄関機と、管理人が全ての棟の居住者と通話するための集中管理室親機と、各棟制御機、集中集合玄関機及び集中管理室親機を制御する集中制御機とを備えた集合住宅インターホンシステムにおいて、棟管理室親機は、インターホン機能が停止するスリープ状態となるスリープ設定機能を有し、棟制御機は、対応する棟管理室親機がスリープ状態であることを認識し、スリープ状態の棟管理室親機への呼び出しが成された場合に、呼び出しを、対応する棟管理室親機を呼び出すことなく他の棟管理室親機又は集中管理室親機へ転送する転送機能を有することを特徴とする。
この構成により、呼出先の管理人が不在の場合、待ち時間無く他の棟管理室親機又は集中管理室親機を呼び出すので、転送に要する待ち時間を要すること無く何れかの管理人と通話が可能となり利便性が高まる。
尚、スリープ状態とは、スリープ解除操作以外の全ての機能が停止し、呼び出しや通話等は機能しない状態を言う。
【０００７】
請求項２の発明は、請求項１に記載の発明において、棟制御機は、棟管理室親機がスリープ状態の時にその棟管理室親機を呼び出した呼出元情報を記憶し、棟管理室親機は、スリープ状態が解除されたときに棟制御機に記憶した呼出元情報を受信して表示する呼出情報受信／表示機能を有することを特徴とする。
このの構成により、不在にしていた管理人はスリープ設定を解除した時に表示される呼出情報を見て、呼出元を知ることができ、その後必要な対応を採ることが可能となる。
【０００８】
請求項３の発明は、請求項２に記載の発明において、棟制御機は、転送されて応答した他の棟管理室親機又は集中管理室親機の情報を呼出元情報に付加した呼出情報を記憶することを特徴とする。
この構成により、転送先の情報を記憶するので、不在にしていた管理人は、転送応答した管理人に状況を聞くことができ、その後スムーズに必要な対応を採ることが可能となる。
【０００９】
請求項４の発明は、請求項３に記載の発明において、棟制御機は、転送されて応答した他の棟管理室親機又は集中管理室親機の操作により、その呼び出しに対して対応済みか否かの情報を呼出情報に付加して記憶することを特徴とする。
この構成により、棟管理室親機或いは集中管理室親機よりスリープ設定解除を行ったときに、スリープ設定期間の呼出転送された内容に対して他の管理室親機による応答結果を確認でき、未対応の呼出に対して必要な処置を採ることが可能となる。
【００１０】
請求項５の発明は、請求項４に記載の発明において、棟管理室親機又は集中管理室親機は、他の棟管理室親機のスリープ設定情報を棟制御機又は集中制御機から受信して表示することを特徴とする。
この構成により、他の管理室親機の状態を知ることができ、居住者等からの呼び出しに対して遅滞無い対応に役立てることができる。
【００１１】
請求項６の発明は、来訪者が居住者又は管理人を呼び出して通話を行うために棟毎に設置される棟集合玄関機と、居住者が来訪者又は管理人と通話するための居室親機と、管理人が各棟の居住者と通話するために各棟毎に設置される棟管理室親機と、棟毎に設置されて棟集合玄関機、居室親機、棟管理室親機を制御する棟制御機と、来訪者が全ての棟の居住者又は管理人を呼び出して通話を行うための集中集合玄関機と、管理人が全ての棟の居住者と通話するための複数台の集中管理室親機と、各棟制御機、集中集合玄関機及び集中管理室親機を制御する集中制御機とを備えた集合住宅インターホンシステムにおいて、棟管理室親機及び特定の１台を除く集中管理室親機は、インターホン機能が停止するスリープ状態となるスリープ設定機能を有し、棟制御機は対応する棟管理室親機又は集中管理室親機がスリープ状態であることを認識すると共に、集中制御機は集中管理室親機がスリープ状態であることを認識し、棟制御機が棟集合玄関機又は居室親機からスリープ状態の棟管理室親機への呼び出しを受信したとき、集中管理室親機へ呼び出しを転送し、集中制御機は、集中管理室親機のうちスリープ設定されていない少なくとも一つの集中管理室親機へ呼び出しを転送し、スリープ機能を有する集中管理室親機の全てがスリープ状態である場合は呼び出しを特定の１台である集中管理室親機に転送することを特徴とする。
この構成により、呼出先の管理人が不在の場合、待ち時間無く他の棟管理室親機又は集中管理室親機を呼び出すので、転送に要する待ち時間を要すること無く何れかの管理人と通話が可能となり利便性が高まる。
また、１台の管理室親機（集中管理室親機）は必ず応答可能となっているので、全てのスリープ設定可能な管理室親機がスリープ設定されていても、何れかの管理人と必ず通話することができる。
【００１２】
請求項７の発明は、請求項１乃至６の何れかに記載の発明において、棟制御機は、スリープ設定されていない棟管理室親機が所定時間応答しない場合には、スリープ状態とする制御を行うことを特徴とする。
この構成により、スリープ状態に設定し忘れて棟の管理人が不在となっても、自動でスリープ状態になるので、不要な転送時間が発生することがない。
【００１３】
請求項８の発明は、請求項６に記載の発明において、集中制御機は、スリープ設定されていない集中管理室親機が所定時間応答しない場合には、スリープ状態とする制御をおこなうことを特徴とする。
この構成により、スリープ状態に設定し忘れて集中管理室の管理人が不在となっても、自動でスリープ状態になるので、不要な転送時間が発生することがない。
【発明の効果】
【００１４】
このように、本発明によれば、呼出先の管理人が留守になった場合でも、速やかに他の管理人と通話することができ、居住者等に対する利便性を向上できるし、管理人は良好なサービスを提供できる。
また、不在にしていた管理人は、呼出履歴を知ることができるので、その後必要な対応をとることが可能となる。
【発明を実施するための最良の形態】
【００１５】
以下、本発明を具体化した実施の形態を、図面に基づいて詳細に説明する。図１は本発明に係る集合住宅インターホンシステムの実施形態の一例を示す構成図であり、Ａ棟、Ｂ棟の２棟から成る集合住宅に設置したシステムを示している。図１において、１は来訪者が居住者又は管理人を呼び出して通話を行うために棟毎に設置される棟集合玄関機、２は居住者が来訪者又は管理人と通話するための居室親機、３は管理人が来訪者又は居住者と通話するために各棟毎に設置される棟管理室親機、４は棟毎に設置されて前記棟集合玄関機、前記居室親機、前記棟管理室親機を制御する棟制御機、５は全ての棟の居室親機２を呼び出して通話をするための集中集合玄関機、６（６ａ，６ｂ）は全ての棟の居室親機２と通話が可能な集中管理室親機、７は各棟制御機４、集中集合玄関機５及び集中管理室親機６を制御する集中制御機であり、Ａ棟に棟管理室親機３を２台、Ｂ棟に棟管理室親機３を１台設置し、集中管理室親機６を２台備えている。
【００１６】
尚、１０は来訪者を撮像するカメラであり、居室親機２、棟管理室親機３及び集中管理室親機６等の管理室親機にはその撮像映像を出画するモニタ１１が備えられている。また、棟管理室親機３や集中管理室親機６の操作はモニタ１１上に設けたタッチパネル１２で実施されるよう構成されている。
【００１７】
また、図２は、図１の棟制御機４、棟管理室親機３の回路ブロック図を示し、棟制御機４は、各接続機器と通信する為の通信回路１４、通信を制御する棟制御機制御回路１５、そしてスリープ設定された機器の情報や呼出元情報、更には呼出先情報等の制御履歴を記憶する制御機メモリ１６等を有している。棟管理室親機３は、表示部であるモニタ１１、モニタ１１上に設けられた操作部であるタッチパネル１２に加えて、棟制御機４と通信する為の通信回路１８、ハンドセット等で構成される通話部２０、棟管理室親機３を制御する棟管理室親機制御回路２２を有している。
【００１８】
このように構成されたシステムは次のように動作する。まずインターホンとしての基本動作を簡単に説明する。来訪者が集中集合玄関である集中エントランスに入り、備えられた集中集合玄関機５を操作して所望の住戸の居室親機２を呼び出すと、呼び出された居室親機２では呼出音が報知されると共に、集中集合玄関機５のカメラ１０で撮像された来訪者の映像がモニタ１１に出画される。これを確認した居住者は、来訪者と通話を行うことができ、自分の住居のある棟に案内する等の通話が成される。
その後、来訪者が該当する棟に移動したら、必要に応じて棟集合玄関機１を用いて再度呼び出しが行われる。居住者は居室親機２で確認することで、例えばオートドアの解錠等の操作が行われる。
【００１９】
尚、これらの制御は集中制御機７、棟制御機４によって行われる。また、集中集合玄関機５又は棟集合玄関機１から、集中管理室親機６又は棟管理室親機３を呼び出して通話する場合も、基本動作の流れは上記居室親機２の操作と同様である。更に、棟管理室親機３、集中管理室親機６、各居室親機２は、通常は相互に呼出、通話を行うことができるようになっている。
【００２０】
次に、夜間等において棟の管理人が帰宅するなどして棟管理室親機３を使用しない場合の動作を説明する。まず、全ての棟管理室親機３、及び特定の１台の集中管理室親機６ｂを除く集中管理室親機６ａにはスリープ状態に設定する機能を有している。このスリープ設定により、設定された管理室親機３、６ａはスリープ解除操作以外の全ての機能が停止し、呼び出しや通話等は機能しない状態となる。このスリープ設定は、例えば備えられたスリープボタンのオン操作により設定され、設定されると図３に示す画面がその管理室親機３，６のモニタ１１に表示される。
そして、棟管理室親機３がスリープ設定されたらスリープ信号が棟制御機４に送信され、棟管理室親機３の状態情報として制御機メモリ１６に記憶される。尚、スリープ設定された集中管理室親機６がある場合は、その情報は集中制御機７に記憶される。
【００２１】
このような状態で、居室親機２から棟管理室親機３を呼び出した場合の動作を説明する。例えば、Ａ棟の居室親機２から２台の棟管理室親機３の一方に対して呼び出しが行われ、その一方の棟管理室親機３がスリープ状態にある場合は次のように動作する。
居室親機２からの呼び出しに対して、棟制御機４は呼び出すべき一方の棟管理室親機３がスリープ状態であると認識しており、対応する棟管理室親機３の呼出操作をせずに他の棟管理室親機３を呼び出す。或いは他方の棟管理室親機３もスリープ状態にある時は直接集中管理室親機６へ転送して呼び出す。このとき棟制御機４は、何処からの呼び出しであるか制御機メモリ１６に呼出元情報として記憶する。
尚、このＡ棟の呼び出しにおいて、Ａ棟の棟管理室親機３がスリープ状態の場合は、集中管理室親機６に直接転送せずに、まずＢ棟に転送しても良い。その後Ｂ棟の棟管理室親機３が応答しない場合集中管理室親機６に転送させても良い。
【００２２】
Ｂ棟の居室親機２から棟管理室親機３の呼び出しが成された場合、居室親機２からの呼び出しに対して、棟制御機４は呼び出すべき棟管理室親機３がスリープ状態であれば、その棟管理室親機３の呼出操作をせずに直接集中管理室親機６へ転送して呼び出す。このとき棟制御機４は、何処からの呼び出しであるか制御機メモリ１６に呼出元情報として記憶する。
尚この場合も、Ａ棟の動作と同様に、集中管理室親機６に直接転送せずに、まずＡ棟に転送しても良い。その後Ａ棟の棟管理室親機３が応答しない場合集中管理室親機６に転送させても良い。
【００２３】
このように、呼出先の管理人が不在の場合、不在の棟管理室親機の呼出操作をすることなく他の棟管理室親機又は集中管理室親機を呼び出すので、転送に要する待ち時間が無く、何れかの管理人と速やかな通話が可能となり利便性を高くできる。
【００２４】
そして、転送されて呼び出しが成される管理室親機３，６のうち、棟管理室親機３が呼び出しに応対した場合、その応対した棟管理室親機３の情報が棟制御機４に送信されて、記憶された呼出元情報に応答先情報を付加した呼出情報を記憶する。更に、応答した棟管理室親機３が、居室親機２等の呼出元の問い合わせに対して対応できたか否かの応答情報を所定の操作により入力すると、その情報も棟制御機４に送信されて呼出情報に付加して記憶される。尚、この入力操作は、タッチパネル１２を操作することで容易に操作できるようになっている。
【００２５】
また、転送されてきた管理室親機３，６のうち、集中管理室親機６が呼び出しを受けて応対した場合も同様に、その応対した集中管理室親機６の情報が集中制御機７を介して棟制御機４に送信されて、記憶された呼出元情報に応答先情報を付加した呼出情報が記憶される。そして、応答した集中管理室親機６が、居室親機２等の呼出元の問い合わせに対して対応できたか否かの応答情報を所定の操作により入力すると、その情報も棟制御機４に送信されて呼出情報に付加して記憶される。
【００２６】
こうして棟制御機４に呼出情報が記憶された状態で、棟管理室親機３のスリープ状態が解除されると、この解除情報が棟制御機４に送信されて、棟制御機４はスリープ状態の時に受信して記憶した呼出情報を読み出して棟管理室親機３に送信する。棟管理室親機３ではこの呼出情報を受信して、図４に示すような一覧表により呼出情報の内容をモニタ１１に表示する。尚、図４では、応答した時間、呼出元の居室番号、応答した管理室親機３，６をその設置場所の名称で表示し、更に対応結果を表示している。また、Ｍ１は呼出元情報、Ｍ２は呼出情報を示している。
この表示により、呼出元の要望に対して処理済みか未対応であるか知ることができ、未対応の処理をする場合には、呼び出しを行った居室親機２を呼び出すめの呼出ボタンをタッチパネル１２に表示させ、所定の操作（タッチパネル操作）により居室親機２を呼び出すことができるようになっている。
【００２７】
また、スリープ設定をおこなっていない棟管理室親機３及び集中管理室親機６からは、他の管理室親機３，６のスリープ設定状況をタッチパネル操作で図５に示すような表をモニタ１１に表示させて確認を行うことができる。図５では、管理室親機３，６の名称として設置場所名を表示し、スリープ設定の有無、スリープ設定開始時間を表示している。
更に、棟制御機４及び集中制御機７は、スリープ設定されていない棟管理室親機３或いはスリープ設定可能な集中管理室親機６ａが所定時間応答しない場合には、スリープ状態とみなす制御を行うよう構成されている。
【００２８】
このように、不在にしていた管理人はスリープ設定を解除した時に表示される呼出情報を見て呼出元を知ることができ、その後スムーズに必要な対応を採ることが可能となる。また、転送先の情報、及び転送先の管理室親機による応答結果を確認でき、必要に応じて転送応答した管理人に状況を聞くことができるし、未対応の呼び出しに対して必要な処置を採ることが可能となる。
また、管理室親機から他の管理室親機のスリープ状態を知ることができ、居住者等からの呼び出しに対して遅滞無い対応に役立てることができる。
更に、スリープ状態に設定し忘れて不在となった場合でも、自動でスリープ状態になるので、不要な転送時間が発生することがない。
【００２９】
以上、棟管理室親機３がスリープ設定された場合を説明したが、集中管理室親機６がスリープ設定された場合を次に説明する。この図１の実施形態では、上述するように２台の集中管理室親機６のうち他方の１台が特定の集中管理室親機６ｂで、スリープ設定できない構成となっている。この構成において、特定の集中管理室親機６ｂ以外の他の集中管理室親機６ａがスリープ状態である場合に居室親機２から呼び出しがあると、特定の集中管理室親機６ｂのみ呼び出しが報知される。つまり、特定の集中管理室親機６ｂは、本来呼び出しが成されるべき管理室親機（棟管理室親機３及び集中管理室親機６ａ）に関連するすべての管理室親機３，６がスリープ状態である場合のみ報知動作し、その他の場合には何れかの管理室親機３，６で応答が可能に構成されている。
【００３０】
このように、１台の集中管理室親機は必ず応答可能となっているので、全てのスリープ設定可能な管理室親機がスリープ設定されていても、何れかの管理人と必ず通話することができる。
また、スリープ設定可能な全ての管理室親機がスリープ設定されていても、速やかにスリープ機能のない集中管理室親機に転送されるので、転送による待ち時間が発生することがない。
【００３１】
尚、集中管理室親機が１台しかない場合は、このような理由からスリープ設定機能を持たないものを使用するのが望ましく、１台は必ず居室親機等からの呼び出しに応答できるように構成するのが望ましい。
また、現状の設定では、集中管理室親機６が３台以上ある場合、特定の１台６ｂ以外に通常状態の集中管理室親機６ａがあれば、居室親機３から呼び出しがあった場合に（棟管理室親機が全てスリープ状態であることが前提）、スリープ状態に設定された集中管理室親機６ａがあっても、他の通常状態の集中管理室親機６ａでのみ呼び出しを報知し、特定の集中管理室親機６ｂを呼び出さない設定となっているが、合わせて呼び出すよう設定しても良い。
【００３２】
また、上記実施形態において、呼出情報を記憶するのが棟制御機４としたが、スリープ状態の棟管理室親機３自身に又は集中制御機７に記憶させても良い。また、居室親機２からの呼び出しのみではなく、集合玄関機等からの呼出時においても同様の動作を実施するものである。
更に、棟の数、その他各端末（集合玄関機、居室親機、管理室親機等）の数は上記実施例の数に限定するものではないし、呼び出しだけではなく、セキュリティ情報が送られてきた場合にも、その情報を転送すること、その履歴、対応結果を記憶することは当然である。
また、上記実施形態では、呼出情報の表示内容が、時間、呼出元、応答先、対応結果であるが、呼出元情報と呼び出しを受けた時間のみの記憶し、それを表示させても充分有効に利用できる。
【図面の簡単な説明】
【００３３】
【図１】本発明に係る集合住宅インターホンシステムの実施形態の一例を示す構成図である。
【図２】図１の棟制御機と棟管理室親機の回路ブロック図である。
【図３】スリープ設定状態であることを表示したモニタ画面図である。
【図４】棟管理室親機に呼出情報を表示したモニタ画面図である。
【図５】スリープ設定情報を表示したモニタ画面図である。
【符号の説明】
【００３４】
１・・棟集合玄関機、２・・居室親機、３・・棟管理室親機、４・・棟制御機、５・・集中集合玄関機、６（６ａ，６ｂ）・・集中管理室親機、７・・集中制御機、１２・・タッチパネル（操作部）、１６・・制御機メモリ。
【図１】
2006238201.tif 000003
【図２】
2006238201.tif 000004
【図３】
2006238201.tif 000005
【図４】
2006238201.tif 000006
【図５】
2006238201.tif 000007